(57)【要約】【課題】一旦開封されたキャップを再び容器口部に装着した場合に、開封したことが、視認できるキャップを提供する。【解決手段】キャップ本体と、該キャップ本体のスカート部下端に設けられている開封履歴明示バンドとからなるキャップにおいて、開封履歴明示バンドには、その上端から下方に延び、続いて周方向に延び、更に下方に延びて下端に至る分割スリットによって、上方に位置する開栓旋回バンド部と下方に位置する開栓抑止バンド部とに区画された破断領域が形成されており、前記開栓旋回バンド部は、前記分割スリット近傍のスカート部下端に連結され、開封履歴明示バンドの上面には、破断領域の閉栓方向側の近傍に、ストッパー片が設けられ、前記スカート部の下端面には、前記ストッパー片に噛み合うようにストッパー片係合用凹部が形成され、該係合用凹部の閉栓方向側に、閉栓時係合用凹部が設けられていることを特徴とする。【選択図】図１
2011162256.tif 000002
【特許請求の範囲】
【請求項１】
螺子係合により容器口部に固定されるキャップ本体と、該キャップ本体のスカート部下端に設けられている開封履歴明示バンドとからなるキャップにおいて、 
前記開封履歴明示バンドには、その上端から下方に延び、続いて周方向に延び、更に下方に延びて下端に至る分割スリットによって、上方に位置する開栓旋回バンド部と下方に位置する開栓抑止バンド部とに区画された破断領域が形成されており、 
前記開栓旋回バンド部と開栓抑止バンド部とは、開栓に際して破断可能な連結部により接続されており、
前記開栓旋回バンド部は、開栓に際して破断しない連結ブリッジにより、前記分割スリット近傍のスカート部下端に連結され、かつ周方向に延びている前記開栓旋回バンド部の下端部には、複数の凹部が形成され、 
周方向に延びている前記開栓抑止バンド部の上端部には、前記複数の凹部のうち、少なくとも開栓方向側に位置する凹部と噛み合うように凸部が形成され、
前記開封履歴明示バンドの上面には、破断領域の閉栓方向側の近傍に、ストッパー片が設けられ、前記スカート部の下端面には、前記ストッパー片に噛み合うようにストッパー片係合用凹部が形成され、
更に、該係合用凹部の閉栓方向側に、閉栓時係合用凹部が設けられていることを特徴とするキャップ。 
【請求項２】
前記開栓旋回バンド部の各凹部、ストッパー片係合用凹部、及び前記開栓抑止バンド部の前記凸部、ストッパー片において、その閉栓方向側の面は、開栓方向に向かって漸次上方に向かって延びている傾斜面となっている請求項１に記載のキャップ。
【発明の詳細な説明】
【技術分野】
【０００１】
本発明は、キャップに関する。更に詳細には、容器口部に螺合して被冠するキャップ本体と、キャップ本体のスカート部下端に設けられ、所定の剪断力を受けると切れる開封履歴明示バンドからなるキャップに関する。
【背景技術】
【０００２】
従来より、容器内容物の品質保証やいたずら防止などのため、開封履歴を明示する開封履歴明示バンド（タンパーエビデンドバンドとも、呼ばれる。）を備えたキャップが広く使用されている。そして、この種のキャップは、開封したときには、キャップ本体と開封履歴明示バンドとの連結がカッティングラインで破断し、これにより、キャップが開封された事実を明示するようになっている。 
【０００３】
このようなキャップは、例えば、螺子係合により容器口部に固定されるキャップ本体と、キャップ本体のスカート部下端に、破断可能なブリッジ（弱化部）を介して接続された開封履歴明示バンドとからなり、キャップ本体を開栓方向に旋回すると、開封履歴明示バンドとキャップ本体とを繋いでいるブリッジが破断し、開封履歴明示バンドが切り離され、キャップ本体のみが容器口部から取り外されるというものである。即ち、開封履歴明示バンドが切り離されている事実により、キャップが開封されたという事実を認識できるのである。 
【０００４】
しかしながら、このようなキャップは、開封履歴明示バンドがキャップ本体と完全に切り離されて容器側に残るという問題がある。即ち、容器口部に開封履歴明示バンドが残っていると、容器内容液をコップ等に移し替える際に、容器内容液の注ぎ出しと同時に開封履歴明示バンドが落下してしまうおそれがあり、開封履歴明示バンドとキャップ本体が分離されていると、廃棄に際してのゴミの数が増えるという問題もある。このような問題を回避するため、開栓に際して、開封履歴明示バンドがキャップ本体から分離しないようなキャップも種々提案されている。
【０００５】
例えば、特許文献１には、開封履歴明示バンドに、分割スリットによって開栓方向側に移動する開栓旋回バンド部と開栓方向側への移動が抑制される開栓抑止バンド部とに分割された破断領域が形成され、開栓旋回バンド部の下端部には、複数の凹部が形成され、開栓抑止バンド部の上端部には凹部と噛み合う凸部が形成されているキャップで、開栓に際して、開封履歴明示バンドがキャップ本体に連なって容器口部から取り除かれるとともに、一旦開封されたキャップを再び容器口部に装着した場合にも、開封の事実を容易に認識できることが可能なキャップが提案されている（特許文献１）。
【０００６】
公知文献を以下に示す。
【先行技術文献】
【特許文献】
【０００７】
【特許文献１】特開２００７−４５４８５号公報
【発明の概要】
【発明が解決しようとする課題】
【０００８】
上記のような構造のキャップでは、容器口部から取り外されたキャップ本体には開封履
歴明示バンドが連なっているため、キャップ本体を再び容器口部に装着したとき、開栓旋回バンド部と開栓抑止バンド部とが再び噛み合うように係合した状態でキャップ本体とともに容器口部に装着されてしまうおそれがあり、キャップが一旦開封されたものであることを視認できない場合がある。 
【０００９】
発明の目的は、一旦開封されたキャップを再び容器口部に装着した場合に、開封したことが、視認できるキャップを提供することにある。
【課題を解決するための手段】
【００１０】
本発明は係る課題に鑑みなされたものであり、請求項１の発明は、螺子係合により容器口部に固定されるキャップ本体と、該キャップ本体のスカート部下端に設けられている開封履歴明示バンドとからなるキャップにおいて、 
前記開封履歴明示バンドには、その上端から下方に延び、続いて周方向に延び、更に下方に延びて下端に至る分割スリットによって、上方に位置する開栓旋回バンド部と下方に位置する開栓抑止バンド部とに区画された破断領域が形成されており、 
前記開栓旋回バンド部と開栓抑止バンド部とは、開栓に際して破断可能な連結部により接続されており、
前記開栓旋回バンド部は、開栓に際して破断しない連結ブリッジにより、前記分割スリット近傍のスカート部下端に連結され、かつ周方向に延びている前記開栓旋回バンド部の下端部には、複数の凹部が形成され、 
周方向に延びている前記開栓抑止バンド部の上端部には、前記複数の凹部のうち、少なくとも開栓方向側に位置する凹部と噛み合うように凸部が形成され、
前記開封履歴明示バンドの上面には、破断領域の閉栓方向側の近傍に、ストッパー片が設けられ、前記スカート部の下端面には、前記ストッパー片に噛み合うようにストッパー片係合用凹部が形成され、
更に、該係合用凹部の閉栓方向側に、閉栓時係合用凹部が設けられていることを特徴とするキャップである。
【００１１】
上記構成にすることによって、一旦開封されたキャップを再び容器口部に装着した場合に、開封履歴明示バンドがキャップ本体とともに、回転して降下していき、ラチェットなどで回転を止められたときに大きく広がり、噛み合った状態に戻ろうとするが、ストッパー片が閉栓時係合用凹部と噛み合い、元のストッパー片係合用凹部と噛み合った状態にならず、開封したことが視認できる。
【００１２】
本発明の請求項２の発明は、前記開栓旋回バンド部の各凹部、ストッパー片係合用凹部、閉栓時係合用凹部、及び前記開栓抑止バンド部の前記凸部、ストッパー片において、その閉栓方向側の面は、開栓方向に向かって漸次上方に向かって延びている傾斜面となっている請求項１に記載のキャップである。
【００１３】
本発明はさらに、それぞれの凹部や凸部、ストッパー片の閉栓方向側の面を、開栓方向に向かって漸次上方に向かって延びている傾斜面としているので、開栓するときに、破断可能な連結部が分離され、キャップ本体の回転が容易にできる。
【発明の効果】
【００１４】
本発明のキャップは、上記のような構造であるので、キャップ本体を再び容器口部に装着したとき、ストッパー片が閉栓時係合用凹部と噛み合い、元のストッパー片係合用凹部と噛み合った状態にならず、開封したことが視認できる。
【図面の簡単な説明】
【００１５】
【図１】本発明のキャップの一例の側面図である。
【図２】本発明のキャップの一例の底面図である。
【図３】本発明のキャップの一例を容器口部とともに示した部分断面図である。
【図４】本発明のキャップの一例が、開封された後、再度閉栓したときの、状態を表す説明図である。
【発明を実施するための形態】
【００１６】
以下本発明を実施するための形態につき説明する。
【００１７】
図１は、本発明のキャップの一例の側面図、図２は、本発明のキャップの一例の底面図、図３は、本発明のキャップの一例を容器口部とともに示した部分断面図、図４は、本発明のキャップの一例が、開封された後、再度閉栓したときの、状態を表す説明図である。
【００１８】
本発明のキャップは、キャップ本体１と、筒状形状の開封履歴明示バンド２とから成る。キャップ本体１は、頂板部５と、頂板部５の周縁部から垂下しているスカート部６とから成っている。さらに、スカート部６の外面には、滑り止め用のローレット１５が形成されており、キャップ本体１の閉栓方向及び開栓方向への旋回をスムーズに行い得るようになっている。 
【００１９】
頂板部５の内面には、図３に示されているように、スカート部６とは間隔を置いて下方に延びているインナーリング７が形成されており、且つインナーリング７とスカート部６との間の部分に小突起９、９が形成されている。
【００２０】
また、スカート部６の内面には、螺条１０が形成されており、この螺条１０は、容器口部７０の外面に形成されている螺条７１と係合する。即ち、スカート部６の内面の螺条１０と容器口部７０の外面の螺条７１とが螺子係合することにより、キャップ本体１は容器口部７０に装着される。
【００２１】
この状態において、容器口部７０の上端は、インナーリング７とスカート部６との間の空間内に侵入し、且つその上端面が頂板部５の内面に形成されている小突起９、９に圧接されることにより、良好なシールが確保されるようになっている。 
【００２２】
本発明において、開封履歴明示バンド２には、その上端から下方に延び、途中で周方向に屈曲して延び、さらに降下して下端まで延びている分割スリット１７が設けられた破断領域Ｐが形成されている。
【００２３】
この破断領域Ｐでは、図１から明らかなように、互いに上下方向に対面するように、上方に位置する開栓旋回バンド部２０と、下方に位置する開栓抑止バンド部２１とが形成されている。即ち、図１に示されているように、このキャップは、開栓に際してはＸで示される方向に旋回され、閉栓に際してはＹで示される方向に旋回されるが、以下に述べるように、開栓に際しては、開栓旋回バンド部２０がキャップ本体１とともに開栓方向に旋回し、開栓抑止バンド部２１は開栓方向への旋回が抑止されるように構成されている。 
【００２４】
尚、この例では、分割スリット１７が設けられている破断領域Ｐは、対称位置に２箇所形成されており（図２参照）、それぞれの破断領域Ｐにおいて、分割スリット１７により開栓旋回バンド部２０と開栓抑止バンド部２１とが形成されている。 
【００２５】
上記の開栓旋回バンド部２０と開栓抑止バンド部２１とは、分割スリット１７を跨ぐようにして設けられている小幅のブリッジ２３，２３によって互いに連結されている。このブリッジ２３，２３は、開栓時に破断するものである。以下、このブリッジ２３を破断ブリッジと呼ぶ。 
【００２６】
また、図１等に示されているように、開栓旋回バンド部２０の上面には、分割スリット１７の上端近傍位置に、連結ブリッジ２５が設けられており、この連結ブリッジ２５により、開封履歴明示バンド２は、キャップ本体１のスカート部６の下端に連結されている。この連結ブリッジ２５は、開栓方向Ｘへの回転によっては破断しないものである。 
【００２７】
一方、開封履歴明示バンド２の内面には、前記破断領域Ｐの近傍であって閉栓方向側の位置に、それぞれ、ラチェット２７、２７が設けられている（図２参照）。即ち、これらのラチェット２７は、分割スリット１７に対して、閉栓方向Ｙへの回転は許容するが、容器口部７０の外面に形成されている突起部７２（図３参照）との当接によって開栓方向への回転を制限するような形状を有している。 
【００２８】
また、開封履歴明示バンド２の上面には、破断領域Ｐの閉栓方向側の近傍（例えば前記ラチェット２７の上方位置）に、ストッパー片２９が設けられている。このストッパー片２９は、図１に示されているように、開栓方向Ｘ側の側面が実質上直立した面２９ａとなっており、且つ閉栓方向Ｙ側の側面が閉栓方向に向かって上方から下方に傾斜した傾斜面２９ｂとなっている。 
更に、上記のストッパー片２９に対応して、スカート部６の下端面には、該ストッパー片２９に対応する形状を有しているストッパー片係合用凹部３１が形成されており、ストッパー片２９は、ストッパー片係合用凹部３１内に収容された状態となっている。また、ストッパー片係合用凹部３１の閉栓方向側には、閉栓時係合用凹部３２が設けられている。
【００２９】
そして、開封履歴明示バンド２の上面には、偏平状の突部３３が設けられており、これにより、スカート部６の下端面と開封履歴明示バンド２の上面との間に一定のクリアランスを確保し、閉栓する際に、両者の密着による連結ブリッジ２５の破断を回避するようになっている。 
【００３０】
上述した構造を有するキャップは、キャップ本体１を容器口部７０に被せ、閉栓方向（Ｙ）に回転していくことにより容器口部７０に装着することができる。この際、キャップ本体１の閉栓方向の回転は、連結ブリッジ２５により開封履歴明示バンド２の開栓旋回バンド部２０に伝達されるとともに、ストッパー片２９の垂直面２９ａとスカート部６の下端面のストッパー片係合用凹部３１の垂直面との当接により、開栓抑止バンド部２１に伝達されるため、開封履歴明示バンド２もキャップ本体１と一体的に容器口部７０に装着される。勿論、ラチェット２７により、開封履歴明示バンド２の閉栓方向への回転が制限されることはない。 
【００３１】
かかるキャップの開栓は、概説すると以下のようにして行われる。 
即ち、キャップ本体１を開栓方向（Ｘ）に開栓させると、開封履歴明示バンド２の開栓旋回バンド部２０は、連結ブリッジ２５によってキャップ本体１に連結されているため、キャップ本体１とともに開栓方向に回転する。また、開封履歴明示バンド２の破断領域Ｐに対して閉栓方向側近傍部分は、ラチェット２７と容器口部７０外面の突起部７２との当接により、開栓方向の回転が抑制され、従って、開栓抑止バンド部２１についても開栓方向への回転が制限される。この結果、破断ブリッジ２３に応力が集中する。 
【００３２】
さらに、キャップ本体１の開栓方向への開栓に伴って、破断領域Ｐ（分割スリット１７）に対して閉栓方向側近傍に配置されている開封履歴明示バンド２のストッパー片２９で
は、その傾斜面２９ｂに、スカート部６下端面に形成されているストッパー片係合用凹部３１の傾斜面が当接し、これにより、ストッパー片２９は下方に押圧され、従って、破断領域Ｐ（分割スリット１７）に対して閉栓方向側に位置する開栓抑止バンド部２１は降下する。
【００３３】
一方、開栓旋回バンド部２０は降下することなく、そのままの状態で開栓方向に移動するが、分割スリット１７が周方向に屈折して延びているため、開栓抑止バンド部２１は、開栓旋回バンド部２０によっても下方に押圧され、破断ブリッジ２３に応力が集中する。
【００３４】
以上のように、破断ブリッジ２３に応力が集中する結果として、２つの破断領域Ｐ（分割スリット１７）の少なくとも一方において、分割スリット１７を跨ぐように形成されている破断ブリッジ２３は速やかに破断され、分割スリット１７で開栓旋回バンド部２０と開栓抑止バンド部２１とは完全に切り離され、これにより、ラチェット２７と容器口部７０外面の突部７２との係合力は失われ、スムーズに開栓が行われる。 
【００３５】
尚、開栓旋回バンド部２０は連結ブリッジ２５によってキャップ本体１に連なっており、開栓抑止バンド部２１は、一方のスリット１７で開栓旋回バンド部２０と切り離されてはいるが、他方のスリット１７で形成されている開栓旋回バンド部２０とは一体に連続しているものであるから、開封履歴明示バンド２は、互いに分割された開栓旋回バンド部２０と開栓抑止バンド部２１とを備えたまま、開栓連結ブリッジ２５を介してキャップ本体１とともに容器口部７０から取り外されることとなる。 
【００３６】
上記のような構造のキャップでは、一旦、開封されたキャップでは、開封履歴明示バンド２の開栓旋回バンド部２０と開栓抑止バンド部２１とが、分割スリット１７で完全に切り離されていることにより開封履歴が明示されることとなるのであるが、開封履歴明示バンド２自体がキャップ本体１とは切り離されていないため、このようなキャップ本体１を開封履歴明示バンド２が繋がっているまま再び容器口部７０に閉栓（即ち、リシール）したときの開封履歴明示性を確保する必要がある。
【００３７】
即ち、キャップ本体１がリシールされた状態で、開栓旋回バンド部２０と開栓抑止バンド部２１とが分割スリット１７を間に挟んで初期の閉栓状態と同じ位置関係で対峙してしまうと、開栓旋回バンド部２０と開栓抑止バンド部２１とが完全に分離していることを視認し難く、開封されたものであるとの事実を認識し難くなるからである。本発明では、このような不都合を、以下の構造を採用することにより回避するものである。 
【００３８】
即ち、初期閉栓状態にあるときの開封履歴明示バンド２は、図１にあるように、本発明では、周方向に屈折して延びている分割スリット１７の形状により、開栓旋回バンド部２０の周方向に延びている下端部には、２個の凹部５０（５０ａ，５０ｂ）が形成されており、これらの凹部５０に対応して、開栓抑止バンド部２１の周方向に延びている上端部には、２つの凸部５１（５１ａ，５１ｂ）が形成されている。図１から明らかなように、初期閉栓状態では、各凸部５１が各凹部５０に収容され、互いに噛み合って係合した状態となっている。 
【００３９】
このような形状の開栓旋回バンド部２０及び開栓抑止バンド部２１を備えた開封履歴明示バンド２付キャップを開栓すると、開栓旋回バンド部２０のみが開栓方向Ｘ側に移動するため、開栓抑止バンド部２１に形成されている凸部５１と開栓旋回バンド部に形成されている凹部５０との係合が解除され、該凸部５１は、凹部５０に対して閉栓方向側にずれて位置した状態となり、また、ストッパー片係合用凹部３１とストッパー片２９の係合も解除され、該ストッパー片係合用凹部３１はストッパー片２９に対して閉栓方向側にずれ
て位置した状態となる。このような状態で開封履歴明示バンド２は、キャップ本体１と共に、容器口部７０から取り除かれる。 
【００４０】
従って、一旦容器口部７０から取り除かれたキャップ本体１を、開封履歴明示バンド２が連結ブリッジ２５によって繋がったまま、容器口部７０にリシールすると、開封履歴明示バンド２はこの位置関係を有したままの状態でキャップ本体１が降下し、この結果、図４に示されているように、ストッパー片２９は、閉栓時係合用凹部３２に係合して止まり、ストッパー片係合用凹部３１には係合しない。
【００４１】
その結果、リシール時では、開栓旋回バンド部２０の先端部（閉栓側端部）と開栓抑止バンド部２１の付け根部との間に大きな間隔ｔが形成され、しかも、開封履歴明示バンド２が初期閉栓時よりも外方に広がっており、開封履歴明示バンド２自体も歪んだ形状となっている。従って、一旦開封されたキャップを再び容器口部に装着したときには、開封履歴明示バンド２の開栓抑止バンド部２１と開栓旋回バンド部２０との間に形成された大きな間隔ｔ及び開封履歴明示バンド２自体の歪みを容易に視認することができ、該キャップが一旦開封されたものであるとの開封履歴を更に容易に認識することができるのである。
【００４２】
また、開栓旋回バンド部２０に形成されている凹部５０（５０ａ，５０ｂ）及び開栓抑止バンド部２１に形成されている凸部５１（５１ａ，５１ｂ）は、その閉栓方向Ｙ側の面が開栓方向Ｘ側に向かって漸次上方に向かって延びている傾斜面となっていることが好適である。
【００４３】
即ち、初期の閉栓状態においては、凹部５０及び凸部５１が、このような傾斜面で対峙しているのであり、これにより、開栓に際して、開栓旋回バンド部２０が開栓方向Ｘに移動した時に、傾斜面同士が接触し、凸部５１（即ち開栓抑止バンド部２１）に下方向の押圧力が作用し、開栓抑止バンド部２１が押し下げられ、破断ブリッジ２３が速やかに破断されることとなる。
【００４４】
このような傾斜面の傾斜角は、一般に１０乃至６０度、特に３０乃至４５度の範囲にあることが好ましい。傾斜角があまり大きいと、開栓に際しての開栓旋回バンド部２０（凹部５０）の移動による開栓抑止バンド部２１（凸部５１）への押し下げ力が小さくなってしまい、破断ブリッジ２３の速やかな破断が困難となったり、或いは破断ブリッジ２３の破断のために大きな力が必要となり、連結ブリッジ２５が破断するおそれや、開栓トルクの増大をもたらすおそれがある。
【００４５】
また、傾斜角があまり小さいと、押し下げる速度が遅くなり、破断ブリッジ２３が伸びてしまい、切れにくくなる。そのため、キャップ本体が容器口部７０から外れたときに切れていない恐れがある。
【００４６】
また、本発明においては、開栓抑止バンド部２１に形成されている凸部５１（５１ａ，５１ｂ）の最大高さｈは、開封履歴明示バンド２の高さＨの２０％以上、特に３０乃至６０％の範囲にあることが好ましい。即ち、この高さがあまり低いと、凹部５０と凸部５１との噛み合いによる係合力が小さくなってしまい、リシールに際して、凹部５０と凸部５１との位置関係が初期閉栓状態に戻りやすくなり、視認性が低下することがある。
【００４７】
上記の傾斜面の傾斜角と最大高さについては、ストッパー片２９とストッパー片係合用凹部３１についても言える。すなわち、その閉栓方向Ｙ側の面が開栓方向Ｘ側に向かって漸次上方に向かって延びている傾斜面となっていることが好適である。これにより、開栓に際して、開栓旋回バンド部２０が開栓方向Ｘに移動した時に、傾斜面同士が接触しスト
ッパー片２９に下方向の押圧力が作用し、開封履歴明示バンド２が押し下げられる。
【００４８】
また、この高さがあまり低いと、ストッパー片２９とストッパー片係合用凹部３１との噛み合いによる係合力が小さくなってしまい、リシールに際して、ストッパー片２９とストッパー片係合用凹部３１との位置関係が初期閉栓状態に戻りやすくなり、視認性が低下することとなる。
【００４９】
上述した一例においては、開栓旋回バンド部２０に２つの凹部５０ａ，５０ｂが形成されており、また、開栓抑止バンド部２１には、各凹部５０ａ，５０ｂに係合するように２つの凸部５１ａ，５１ｂが形成されているが、本発明は、このような態様に限定されるものではない。例えば、キャップの径に応じて、開栓旋回バンド部２０や開栓抑止バンド部２１が必要以上に大きくならない限り、３個以上の凹部５０を設け、その各々と係合するように３個以上の凸部５１を設けることができる。また、複数の凹部５０のそれぞれと係合するように凸部５１を設ける必要はない。
【００５０】
即ち、リシール時における凹部５０と凸部５１との位置関係が初期閉栓状態に戻らなければよいわけであるから、初期閉栓状態において、複数個の凹部５０の内、開栓方向側に位置する凹部５０に凸部５１が係合するように設けられていればよい。例えば、図１に示す初期閉栓状態では、開栓方向側の凹部５０ｂに凸部５１が係合してればよく、従って、凸部５１の数を１個として開栓方向側凹部５０ｂと係合せしめ、閉栓方向側の凹部５０ａを空洞とすることも可能である。 
【符号の説明】
【００５１】
１・・・キャップ本体
２・・・開封履歴明示バンド
５・・・頂板部
６・・・スカート部
７・・・インナーリング
９・・・小突起
１０・・・螺条
１５・・・滑り止め用のローレット
１７・・・分割スリット
２０・・・開栓旋回バンド部
２１・・・開栓抑止バンド部
２３・・・破断ブリッジ
２５・・・連結ブリッジ
２７・・・ラチェット
２９・・・ストッパー片
３１・・・ストッパー片係合用凹部
３２・・・閉栓時係合用凹部
３３・・・偏平状の突部
５０（５０ａ，５０ｂ）・・・凹部
５１（５１ａ，５１ｂ）・・・凸部
７０・・・容器口部
７１・・・容器口部７０の外面の螺条
７２・・・突起部
ｔ・・・間隔
Ｐ・・・破断領域
Ｘ・・・開栓方向
Ｙ・・・閉栓方向
【図１】
2011162256.tif 000003
【図２】
2011162256.tif 000004
【図３】
2011162256.tif 000005
【図４】
2011162256.tif 000006